(57)【要約】【課題】意匠的な印象を拡大するスマートフォンケースを提供する。【解決手段】スマートフォン本体２の外部を囲うことにより外部からの障害を軽減する枠体構造部４において、スマートフォン本体２の裏面に沿うように意匠パネル板１１を保持させることにより、意匠パネル板１１の裏面に描画された意匠図柄をスマートフォン１の製品図柄として意匠パネル板１１を厚味を通してユーザが見ることができるようにする。【選択図】図４
0003218152.tif 000002
【実用新案登録請求の範囲】
【請求項１】
スマートフォン本体の外部を囲うことにより外部からの障害を軽減する枠体構造部と、
上記枠体構造部によって上記スマートフォン本体の裏面に沿うように保持された意匠パネル板と
を具え、
上記枠体構造部は上記スマートフォン本体の裏面に沿うように延長する意匠パネル板収納溝において上記スマートフォン本体の上記裏面に連接するように形成された連接板部上に上記意匠パネル板を接着保持させることにより、上記意匠パネル板の裏面に描画された上記意匠図柄をスマートフォンの製品図柄として特定し、
上記意匠パネル板は透明材料で構成され、裏面に印刷により描画された上記意匠図柄を厚味を通してユーザが表面側から見ることができる
ことを特徴とするスマートフォンケース。
【請求項２】
スマートフォン本体の外部を囲うことにより外部からの障害を軽減する枠体構造部と、
上記枠体構造部によって裏面が上記スマートフォン本体の裏面に沿うように保持された意匠パネル板と
を具え、
上記枠体構造部は、上記意匠パネル板の裏面が、上記スマートフォン本体の裏面に沿うように延長するように当該意匠パネル板を保持する枠空間を有し、
当該枠空間が接する上記枠体構造部の構造部分に枠部周縁段部を形成すると共に、上記意匠パネル板において上記枠空間の上記枠部周縁段部と対接する位置にパネル板周縁段部を形成し、
上記枠部周縁段部に対して上記パネル板周縁段部を係合するように上記枠体構造部の枠空間に上記意匠パネル板を嵌合させ、
上記意匠パネル板は透明材料で構成され、裏面に印刷により描画された上記意匠図柄を厚味を通してユーザが表面側から見ることができる
ことを特徴とするスマートフォンケース。
【請求項３】
スマートフォン本体の外部を囲うことにより外部からの障害を軽減する枠体構造部と、
上記枠体構造部によって上記スマートフォン本体の裏面に沿うように保持された意匠パネル板と
を具え、
上記枠体構造部は、上記スマートフォン本体の裏面に沿うように延長する意匠パネル板収納溝において、上記スマートフォン本体の上記裏面に連接するように形成された連接板部上に上記意匠パネル板を配置させると共に、上記意匠パネル板の周縁に形成されたパネル周縁突起を、上記枠体構造部の構造部分に形成された枠部周縁係合溝に突出係合させることにより一体化させ、
上記意匠パネル板は透明材料で構成され、裏面に印刷により描画された上記意匠図柄を厚味を通してユーザが表面側から見ることができる
ことを特徴とするスマートフォンケース。
【請求項４】
上記意匠パネル板の表面に新たな意匠図柄を印刷する
ことを特徴とする請求項１、２又は３に記載のスマートフォンケース。
【考案の詳細な説明】
【技術分野】
【０００１】
本考案はスマートフォンケースに関し、特に落下耐・衝撃性能と、外観上の意匠的印象とを融合させたものである。
【背景技術】
【０００２】
近年、スマートフォンは携帯用情報処理装置としてユーザがスマートフォンケースに収納した状態で常時手に持って操作利用するようになっており、従ってユーザがスマートフォンを取り扱い易いスマートフォンケースに入れてこれを取り落とすことなく安全に持ち運ぶことができるようにすることが求められている（特許文献1及び２参照）。
【先行技術文献】
【特許文献】
【０００３】
【特許文献１】実用新案登録第３１７０２１６号公報
【特許文献２】実用新案登録第３２０９６５４号公報
【考案の概要】
【考案が解決しようとする課題】
【０００４】
ところで、従来のスマートフォンはユーザがこれを取り落とすと、落下により操作面を構成するガラス製のタッチパネルが割れる事故が多く発生しており、これを防止する工夫が求められている。
【０００５】
これに加えて、スマートフォンは多くのユーザの日常生活に欠くことができない日常的生活用具としての機能が求められるようになったので、ユーザは手に持つスマートフォンケースの意匠的な印象がその時々の自分の持ち物として好みに適合したものであることを欲するようになってきている。
【０００６】
これらの問題を解決するため、落下耐・衝撃性能を強化するため全体を柔軟性をもつＴＰＵ（ラバー樹脂）ケースを製作することが考えられているが、この種のケースは外観上の意匠効果を表現しにくく、意匠的効果を表現するためには例えばプリント手段を用いようとしてもプリント表現に制限がある問題がある。
【０００７】
本考案は以上の点を考慮してなされたもので、スマートフォンに対する落下耐・衝撃性能を強化すると共に、外観が日常的生活用具として一段と容易にユーザの好みに適合した意匠的効果を表現し得るようにしたスマートフォンケースを提案しようとするものである。
【課題を解決するための手段】
【０００８】
かかる課題を解決するため本考案においては、スマートフォン本体２の外部を囲うことにより外部からの障害を軽減する枠体構造部４と、枠体構造部４によってスマートフォン本体２の裏面に沿うように保持された意匠パネル板１１とを具え、枠体構造部４はスマートフォン本体２の裏面に沿うように延長する意匠パネル板収納溝４Ｃにおいてスマートフォン本体２の裏面に連接するように形成された連接板部４Ｂ上に意匠パネル板１１を接着保持させることにより、意匠パネル板１１の裏面に描画された描画意匠図柄１５Ａをスマートフォン１の製品図柄として特定し、意匠パネル板１１は透明材料で構成され、裏面に印刷により描画された描画意匠図柄１５Ａを厚味を通してユーザが表面側から見ることができるようにした。
【考案の効果】
【０００９】
本考案によれば、スマートフォン本体の外部を囲うことにより外部からの障害を軽減する枠体構造部において、スマートフォン本体の裏面に沿うように意匠パネル板を保持させることにより、意匠パネル板の裏面に描画された意匠図柄をスマートフォンの製品図柄として意匠パネル板を厚味を通してユーザが見ることができるようにする。
【図面の簡単な説明】
【００１０】
【図１】スマートフォンの外観構造を示す正面図である。
【図２】（Ａ）〜（Ｄ）  図１の部品構造を示す略線図である。
【図３】（Ａ）、（Ｂ）  意匠パネル板の意匠図柄の説明に供する略線図である。
【図４】（Ａ）、（Ｂ）  第１の実施の形態を示す略線図である。
【図５】第２の実施の形態を示す略線図である。
【図６】第３の実施の形態を示す略線図である。
【図７】図５の変形例を示す部分的断面図である。
【図８】一般構成のスマートフォンケースを示す斜視図である。
【図９】図８のＡ−Ａ断面図である。
【図１０】意匠パネル板の形成手法を示す略線図である。
【図１１】意匠パネル板を示す側面図である。
【図１２】意匠図柄の表示の仕方の説明に供する略線図である。
【図１３】意匠図柄の表示の仕方の説明に供する略線図である。
【考案を実施するための形態】
【００１１】
以下図面について、本考案の一実施の形態を詳述する。
【００１２】
（１）第１の実施の形態
図１において、１は全体として携帯用情報処理装置としてのスマートフォンを示し、図２に示すように、スマートフォン本体２の周縁部が操作側の表側面２Ａに対して裏面側２Ｂから本体ケース３によって一体に保持されている。
【００１３】
本体ケース３は図２（Ａ）〜（Ｃ）に示すように、長方形状のスマートフォン本体２の縦方向の長さＬ１及び横方向の長さＬ２に対応する内枠寸法を有する枠体構造部４を有し、当該枠体構造部４の枠体内にスマートフォン本体２を抱え込むように保持している。
【００１４】
枠体構造部４は図４（Ａ）に示すように、スマートフォン本体２の外周縁形状を取り巻くように湾曲する枠部４Ａと、枠部４Ａの上端縁を被うように連接する連接板部４Ｂとで構成され、連接板部４Ｂの中央部に図４（Ｂ）に示すように意匠パネル板１１を接着収納する意匠パネル板収納溝４Ｃが形成されている。
【００１５】
これにより意匠パネル板１１は他のものとは交換できない状態で枠体構造部４に一体化されている。
【００１６】
意匠パネル板１１は図３（Ｂ）に示すように、本体ケース３においてスマートフォン本体２の背面側の裏側面１１Ａにユーザの好みに応じた描画意匠図柄１５Ａをスマートフォン１の製品図柄として表示させ、これをユーザが図３（Ａ）に示すように表側面１１Ｂから厚味を通して透過意匠図柄１５Ｂとして見ることができるように、表示させるもので、無色透明、又は有色透明の硬質樹脂材料や硬質ガラス材料によって構成され、当該パネル板材料の裏側面に描画意匠図柄１５Ａが印刷技術によって印刷されている。
【００１７】
印刷方法としてはインクジェットプリント、昇華印刷、転写印刷、シルク印刷が用いられ、かくして意匠パネル板１１の裏側面１１Ａに印刷された描画意匠図柄１５Ａは無色又は有色透明材料で構成された意匠パネル板１１の厚味を通して意匠パネル板１１の表側面１１Ｂからユーザがスマートフォン１の透過意匠図柄１５Ｂとして読み取ることができるようになされている。
【００１８】
ここで意匠パネル板１１の裏側面１１Ａに描画した描画意匠図柄１５Ａを意匠パネル板１１を透過させて表側面１１Ｂに表出させるための材料としては、ポリカーボネート、アクリル、ＡＳ、ＭＳ、ＰＥＴ、ケーテンレジン、Ｇ、Ｐ（透明スチロール）、耐衝撃性ガラス、合わせガラス、ガラスと合成樹脂フィルムとの合成ガラスなどを適用できる。
【００１９】
また意匠パネル板１１の裏側面１１Ａに描画意匠図柄１５Ａを形成する印刷手法としては、カラー印刷、ホログラフ、蓄光印刷（シート含む）、金銀等のメタル色、フーリエ変換フィルム、線やドットによる特殊トリック画等、３Ｄ、ＶＲ印刷（３次元立体印刷）、メッキ色の付着等を適用することができる。
【００２０】
枠体構造部４としてはゴム性、弾力性がある樹脂として、ＴＰＵ、ＴＰＥ、ＰＥ、ＴＥＥＥ、その他のエラストマを適用できる。
【００２１】
図４の構成によれば、連接板部４Ｂに平板状の意匠パネル板１１を接着させた状態で、当該意匠パネル板１１の裏側面１１Ａに印刷により描画された描画意匠図柄１５Ａを意匠パネル板１１の厚味を通してユーザが見ることができ、これによりユーザは自分の好みに合った意匠図柄を手に持って表示させながらスマートフォン１を気持良く操作できるといった実用性を取得できる。
【００２２】
（２）第２の実施の形態
図５は第２の実施の形態を示すもので、この場合意匠パネル板１１を枠体構造部４の枠部４Ａに装着する構成として、枠部４Ａの内側部分に空間を形成すると共に、内側周縁部に枠部周縁段部４Ｄを設け、かつ当該枠部周縁段部４Ｄと対向する意匠パネル板１１の外周縁にパネル板周縁段部２１を形成する。
【００２３】
これらの枠部周縁段部４Ｄ及びパネル板周縁段部２１はいずれも枠部４Ａが抱え込み保持しているスマートフォン本体２の周縁位置において対接しながら互いに係合し合う状態になる。
【００２４】
かかる構成においてスマートフォン本体２を枠体構造部４に抱え込ませる際に、枠部４Ａの枠部周縁段部４Ｄにパネル板周縁段部２１を係合させた状態において意匠パネル板１１を枠体構造部４に抱え込み保持させる。
【００２５】
このとき枠部周縁段部４Ｄとパネル板周縁段部２１とは枠体構造部４が弾力性のある材料によって構成されていることにより、枠部４Ａがスマートフォン本体２の周縁部に対して枠部周縁段部４Ｄ及びパネル板周縁段部２１を圧着しながら意匠パネル板１１とスマートフォン本体２とを一体化するように動作し、これによりスマートフォン本体２と枠部４Ａとが当該嵌合圧力によって一体に固定する。
【００２６】
以上の構成によれば、意匠パネル板１１は枠部周縁段部４Ｄとパネル板周縁段部２１との間に作用する嵌合圧によって枠体構造部４に固着されることにより、当該意匠パネル板１１はスマートフォン本体２を着脱する際に交換できるような条件の下にスマートフォン本体２を本体ケース３に装着することができる。
【００２７】
かくして意匠パネル板１１を交換できる状態でスマートフォン１を形成することができることにより、ユーザは意匠パネル板１１の描画意匠図柄１５Ａを好みに応じて選択しながら一体化することができ、これによりさらに一層ユーザの好みに応じた意匠をもつスマートフォン１を形成することができる。
【００２８】
（３）第３の実施の形態
図６は第３の実施の形態のスマートフォン１を示し、この場合の意匠パネル板１１は図４について上述した構成と同様に、枠体構造部４に意匠パネル板収納溝４Ｃを形成し、当該意匠パネル板収納溝４Ｃに意匠パネル板１１を嵌め込んだ構成を有する。
【００２９】
これに加えて図６の場合は、意匠パネル板収納溝４Ｃの内周面下部に枠部周縁係合溝４Ｇが形成されていると共に、意匠パネル板１１の周縁部において枠部周縁係合溝４Ｇと対向する位置に形成されたパネル周縁突起２２が当該枠部周縁係合溝４Ｇに嵌め込まれることにより、意匠パネル板１１が枠体構造部４に固着される。
【００３０】
この場合の意匠パネル板１１はパネル周縁突起２２を枠部周縁係合溝４Ｇとの係合を外せば意匠パネル板１１を枠体構造部４から分離させることができ、これにより意匠パネル板１１として他の描画意匠図柄１５Ａを有する意匠パネル板１１を嵌め込むことができ、これによりスマートフォン１としてユーザの好みに適合した意匠図柄のものに変更することができる。
【００３１】
かくしてスマートフォン１としてユーザが一段と自分の好みに適合した意匠図柄をもったスマートフォン１を簡便に入手できるといった実用性を高めることができる。
【００３２】
（４）他の実施の形態
（４―１）図７は図５の構造に対する変形例を示したもので、図５の場合は枠体構造部４に対して意匠パネル板１１を固定する手法として、パネル板周縁段部２１と係合する枠部周縁段部４Ｄを枠部４Ａ側に形成し、これらのパネル板周縁段部２１に対して枠部周縁段部４Ｄを係合させた状態でスマートフォン本体２を枠部４Ａに抱え込ませる際にパネル板周縁段部２１と枠部周縁段部４Ｄとをスマートフォン本体２の嵌合圧によって一体に固定する手法を採用している。
【００３３】
かかる固定手法に対して図７（Ａ）の場合は、パネル板周縁段部２１の所定個所に貫通孔１３を形成し、当該貫通孔１３に対して枠体構造部４の貫通孔１３に対向する位置に固定用突起４Ｅを形成してこれを貫通孔１３に貫通させた状態で矢印で示すように固定用突起４Ｅの先端部４ＥＸを例えば加熱によって溶かして貫通孔１３の裏側に溶着部４Ｆとして溶着させる。
【００３４】
かかる構成によれば、枠体構造部４の枠部４Ａが、意匠パネル板１１の貫通孔１３を介して枠体構造部４の固定用突起４Ｅの溶着部４Ｆによって固着され、これにより枠体構造部４に対して意匠パネル板１１が固着一体化される。
【００３５】
また図７（Ｂ）の場合は図５のパネル板周縁段部２１に対して枠部周縁段部４Ｄを係合させた状態において当該係合部分に接着部材１５（接着剤、又は両面テープ）を介挿することにより両者を固着させる。
【００３６】
かくして図７（Ｂ）の構成によれば、意匠パネル板１１側のパネル板周縁段部２１に対して枠部４Ａ側の枠部周縁段部４Ｄを利用して意匠パネル板１１を接着部材１５によって枠部４Ａに一体に固着させることができる。
【００３７】
（４−２）図４〜図６において意匠パネル板１１に対して描画意匠図柄１５Ａを平面に描画するのは、平面であれば印刷技術を用いて意匠図柄を描画できることによる。
【００３８】
一般的にスマートフォンケースＸは図８に示すように、天面Ｘ１に対して一体に側面壁Ｘ２が設けられ、側面壁Ｘ２の内部空所Ｘ３にスマートフォン本体が嵌め込まれる構成になっている。
【００３９】
この構成において図９に示すように内部空所Ｘ３に意匠図柄を直接塗装しようとしても、天面Ｘ１の周縁に側面壁Ｘ２が立ち上がっているので塗装をすることが困難で、可能性があるのは外側の面に塗装することになる。
【００４０】
このスマートフォンケースＸにおいて表面及び裏面に塗装しようとすれば、図１０に示すようにスマートフォンケースＸの天面Ｘ１のうち、破線で囲んで示す平面部分Ｘ４を切り取って意匠パネルＸ５として用いれば、図１１にＢ−Ｂ断面として示すように、表側の表面Ｘ６の反対側の裏面Ｘ７に例えばインクジェットプリント、昇華印刷、転写印刷、シルク印刷によって意匠図柄を印刷することができる。
【００４１】
そこで意匠パネルＸ５を透明材料で構成すれば、裏面Ｘ７に印刷した意匠図柄を表面Ｘ６側からその厚味を通して見ることができる。
【００４２】
かくして意匠パネルＸ５を透明樹脂で作成した場合、図１２に示すように裏面Ｘ７に意匠図柄を印刷して表面Ｘ６側から見れば、裏面Ｘ７に印刷された意匠図柄を表面Ｘ６側から見ることができるので、図８のスマートフォンケースＸの製品表面としての表面Ｘ６が外部の摩擦等によって傷がつけられたとしてもその影響を受けることなく裏面Ｘ７に描画された意匠図柄を見ることができる。
【００４３】
これに対して意匠パネルＸ５が不透明樹脂で作られた場合には、図１３に示すように、意匠図柄の印刷を表面Ｘ６に印刷するのに対して裏面Ｘ７には印刷しないようにせざるを得なくなる。
【００４４】
この場合は商品の表面を構成する表面Ｘ６に印刷された意匠図柄は商品の使用に従って傷つくことを回避することはできないことになる。
【００４５】
このような意匠パネル板の特性に基づいて図４〜図６の構成のように平面状の意匠パネル板１１の平面上裏側表面に意匠図柄を印刷して製品化がなされている。
【００４６】
（４−３）上述の実施の形態の場合は、意匠パネル板１１に意匠図柄を印刷により形成するにつき、図３（Ｂ）に示すように、裏側面１１Ａに描画意匠図柄１５Ａを描画することによりユーザは当該描画意匠図柄１５Ａを意匠パネル板１１の厚味を通して表側面１１Ｂとして見ることができるようにした場合について述べたが、他の実施の形態として、表側面１１Ｂにも意匠図柄を印刷するようにしても良い。
【００４７】
この場合、表側面１１Ｂに対する意匠図柄の印刷は、安価に実施できると共に、１日当りの生産数を裏側面１１Ａに印刷する場合より簡便に増やすことができ、さらに、すでに裏側面１１Ａに印刷が済んでいる意匠パネル板１１に表側から簡便に例えば「名入れ」などを行うことができ、この分意匠効果を高めるにつき実用性を拡大できる。
【００４８】
上記の変形例の場合は、裏側面１１Ａに描画意匠図柄１５Ａを印刷すると共に、表側面１１Ｂに新たに別の図柄を印刷するようにしたが、これに代え、裏側面１１Ａには意匠図柄を印刷せずに、表側面１１Ｂだけに意匠図柄を印刷するようにしても良い。
【００４９】
このようにすれば、意匠パネル板１１の生産をするにつき、安価であり、１日当りの生産数を増やすことができると共に、「名入れ」などの工夫を簡易になし得る意匠パネル板１１を実現できる。
【産業上の利用可能性】
【００５０】
本考案はスマートフォンケースに利用できる。
【符号の説明】
【００５１】
１……スマートフォン、２……スマートフォン本体、３……本体ケース、４……枠体構造部、４Ａ……枠部、４Ｂ……連接板部、４Ｃ……意匠パネル板収納溝、４Ｄ……枠部周縁段部、４Ｇ……枠部周縁係合溝、１１……意匠パネル板、１５Ａ……描画意匠図柄、１５Ｂ……透過意匠図柄、２１……パネル板周縁段部。
【図１】
0003218152.tif 000003
【図２】
0003218152.tif 000004
【図３】
0003218152.tif 000005
【図４】
0003218152.tif 000006
【図５】
0003218152.tif 000007
【図６】
0003218152.tif 000008
【図７】
0003218152.tif 000009
【図８】
0003218152.tif 000010
【図９】
0003218152.tif 000011
【図１０】
0003218152.tif 000012
【図１１】
0003218152.tif 000013
【図１２】
0003218152.tif 000014
【図１３】
0003218152.tif 000015
【手続補正書】
【提出日】平成30年7月31日(2018.7.31)
【手続補正１】
【補正対象書類名】実用新案登録請求の範囲
【補正対象項目名】全文
【補正方法】変更
【補正の内容】
【実用新案登録請求の範囲】
【請求項１】
スマートフォン本体の外部を囲うことにより外部からの障害を軽減する枠体構造部と、
上記枠体構造部によって上記スマートフォン本体の裏面に沿うように保持された意匠パネル板と
を具え、
上記枠体構造部は上記スマートフォン本体の裏面に沿うように延長する意匠パネル板収納溝において上記スマートフォン本体の上記裏面に連接するように形成された連接板部上に上記意匠パネル板を接着保持させることにより、上記意匠パネル板の裏面に描画された意匠図柄をスマートフォンの製品図柄として特定し、
上記意匠パネル板は透明材料で構成され、裏面に印刷により描画された上記意匠図柄を厚味を通してユーザが表面側から見ることができる
ことを特徴とするスマートフォンケース。
【請求項２】
スマートフォン本体の外部を囲うことにより外部からの障害を軽減する枠体構造部と、
上記枠体構造部によって裏面が上記スマートフォン本体の裏面に沿うように保持された意匠パネル板と
を具え、
上記枠体構造部は、上記意匠パネル板の裏面が、上記スマートフォン本体の裏面に沿うように延長するように当該意匠パネル板を保持する枠空間を有し、
当該枠空間が接する上記枠体構造部の構造部分に枠部周縁段部を形成すると共に、上記意匠パネル板において上記枠空間の上記枠部周縁段部と対接する位置にパネル板周縁段部を形成し、
上記枠部周縁段部に対して上記パネル板周縁段部を係合するように上記枠体構造部の枠空間に上記意匠パネル板を嵌合させ、
上記意匠パネル板は透明材料で構成され、裏面に印刷により描画された意匠図柄を厚味を通してユーザが表面側から見ることができる
ことを特徴とするスマートフォンケース。
【請求項３】
スマートフォン本体の外部を囲うことにより外部からの障害を軽減する枠体構造部と、
上記枠体構造部によって上記スマートフォン本体の裏面に沿うように保持された意匠パネル板と
を具え、
上記枠体構造部は、上記スマートフォン本体の裏面に沿うように延長する意匠パネル板収納溝において、上記スマートフォン本体の上記裏面に連接するように形成された連接板部上に上記意匠パネル板を配置させると共に、上記意匠パネル板の周縁に形成されたパネル周縁突起を、上記枠体構造部の構造部分に形成された枠部周縁係合溝に突出係合させることにより一体化させ、
上記意匠パネル板は透明材料で構成され、裏面に印刷により描画された意匠図柄を厚味を通してユーザが表面側から見ることができる
ことを特徴とするスマートフォンケース。
【請求項４】
上記意匠パネル板の表面に新たな意匠図柄を印刷する
ことを特徴とする請求項１、２又は３に記載のスマートフォンケース。